(57)【要約】【課題】遊技部品の電気部品を予め裏構造体に装着して、遊技部品の電気系を裏構造体側で接続する作業形態を採用できるようにする。【解決手段】  発光体３８を含む遊技情報表示手段２７の少なくとも一部を遊技盤９の前面に配置し、発光体３８を制御する制御基板１６を遊技盤９の裏側に装着された裏構造体１５に備え、遊技情報表示手段２７は発光体３８を備えておらず且つ遊技盤９の前側に装着された前飾り体３１と、この前飾り体３１の裏側に対応して裏構造体１５に装着された発光体３８とを備える。前飾り体３１は前面に遊技図柄を発光表示する表示部４１を備え、発光体３８は発光基板５８に装着されている。【選択図】図６
2014176554.tif 000002
【特許請求の範囲】
【請求項１】
電気部品を含む遊技部品の少なくとも一部を支持部材の前面に配置し、
前記電気部品を制御する制御基板を前記支持部材の裏側に装着された裏構造体に備えた遊技機において、
前記遊技部品は前記電気部品を備えておらず且つ前記支持部材の前側に装着された前飾り体と、
前記前飾り体の裏側に対応して前記裏構造体に装着された前記電気部品とを備えた
ことを特徴とする遊技機。
【請求項２】
前記遊技部品は発光体を含む遊技情報表示手段であり、
該遊技情報表示手段は前記発光体を備えておらず且つ前記支持部材の前面に装着された前記前飾り体と、
前記発光体を有し且つ前記前飾り体の裏側に対応して前記裏構造体に装着された本体部とを備えた
ことを特徴とする請求項１に記載の遊技機。
【請求項３】
前記支持部材は遊技盤であり、
前記遊技情報表示手段は前記遊技盤の前面側に配置された遊技図柄表示手段である
ことを特徴とする請求項２に記載の遊技機。
【請求項４】
前記遊技盤の前面に装着された前記前飾り体と、
前記遊技盤の開口又は切り欠き部に裏側から挿入された前記本体部とを備えた
ことを特徴とする請求項２又は３に記載の遊技機。
【請求項５】
前記前飾り体は前面に遊技図柄を発光表示する表示部を備え、
前記本体部は発光基板と、該発光基板に装着され且つ前記表示部に光を照射する発光体とを備えた
ことを特徴とする請求項２〜４の何れかに記載の遊技機。
【請求項６】
前記裏構造体は前記発光体と前記制御基板とを接続してユニット化されている
ことを特徴とする請求項２〜５の何れかに記載の遊技機。
【請求項７】
前記発光体からの光を前記表示部に導く導光手段を備えたことを特徴とする請求項２〜６の何れかに記載の遊技機。
【請求項８】
前記前飾り体は複数の前記表示部を備え、
前記本体部は前記各表示部に対応する複数の前記発光体を備え、
前記導光手段は前記表示部及び前記発光部に対応する複数の導光孔が形成された遮光板と、各導光孔に挿入された導光体とを備えた
ことを特徴とする請求項７に記載の遊技機。
【発明の詳細な説明】
【技術分野】
【０００１】
本発明は、発光体等の電気部品を含む遊技部品の少なくとも一部を支持部材の前面に配置したパチンコ機、スロットマシン等の遊技機に関するものである。
【背景技術】
【０００２】
パチンコ機等の遊技機には、発光体等の電気部品を含む遊技部品が装着されている。  例えばパチンコ機の場合には、遊技盤の遊技領域の内外に画像表示手段、可変入賞手段、特別図柄始動手段、特別図柄表示手段等の遊技部品が装着されており、その画像表示手段は遊技盤の裏側の演出制御基板に接続され、また可変入賞手段、特別図柄始動手段、特別図柄表示手段は遊技盤の裏側の主制御基板に夫々接続されている（特許文献１）。
【０００３】
この種のパチンコ機では、例えば特別図柄始動手段が遊技球を検出したときには、その遊技球の検出を契機に特別遊技とするか否かの抽選を行う一方、特別図柄始動手段の特別図柄と画像表示手段の演出図柄とが同期して所定時間変動する。そして、遊技状態の抽選結果が特別遊技の場合には、変動後の特別図柄が特別態様で停止すると共に、画像表示手段の演出画像が「７・７・７」等の特別演出態様で停止した後、可変入賞手段が所定ラウンド開閉動作を繰り返す特別遊技に移行し、遊技者が非常に有利な状態で遊技を行うことができるようにしている。
【先行技術文献】
【特許文献】
【０００４】
【特許文献１】特開２０１１−２４０００２号公報
【発明の概要】
【発明が解決しようとする課題】
【０００５】
従来のパチンコ機では、特別図柄始動手段、可変入賞手段等の遊技部品を遊技盤の遊技領域内に、特別図柄表示手段等の遊技部品を遊技盤の遊技領域の外側近傍に夫々前側から装着し、その各遊技部品の発光体、ソレノイド、スイッチ等の電気部品に接続されたハーネスを遊技盤の開口から裏側へと引き出して、そのハーネスを遊技盤の裏面に装着された裏構造体の裏側の主制御基板、演出制御基板等に接続している。
【０００６】
そのため遊技盤の組み立てに際しては、遊技盤の裏面に主制御基板、画像制御基板等を取り付けるための裏構造体を装着し、電気部品を有する特別図柄始動手段、可変入賞手段、特別図柄表示手段等の各遊技部品を遊技盤の前面に装着した後、その各電気部品のハーネスを遊技盤の開口を経て裏構造体の裏側に引き出して、その各ハーネスを裏構造体の裏側で各制御基板に接続する必要がある。
【０００７】
従って、各遊技部品のソレノイド、スイッチ等に接続されたハーネスを遊技盤の裏側に引き出す煩わしさがあり、また各遊技部品の電気部品を予め裏構造体に装着して、その電気部品を裏構造体側でハーネスを介して各制御基板に接続する等、遊技部品の電気系を裏構造体側で接続するような作業形態を採用することができない欠点がある。
【０００８】
本発明は、このような従来の問題点に鑑み、遊技部品の電気部品を予め裏構造体に装着して、遊技部品の電気系を裏構造体側で接続する作業形態を採用できる遊技機を提供することを目的とする。
【課題を解決するための手段】
【０００９】
本発明は、電気部品３２，３８，９５を含む遊技部品１７，２３，２７の少なくとも一部を支持部材９の前面に配置し、前記電気部品３２，３８，９５を制御する制御基板１６を前記支持部材９の裏側に装着された裏構造体１５に備えた遊技機において、前記遊技部品１７，２３，２７は前記電気部品３２，３８，９５を備えておらず且つ前記支持部材９の前側に装着された前飾り体３１，９４と、前記前飾り体３１，９４の裏側に対応して前記裏構造体１５に装着された前記電気部品３２，３８，９５とを備えたものである。
【００１０】
前記遊技部品は発光体３８を含む遊技情報表示手段２７であり、該遊技情報表示手段２７は前記発光体３８を備えておらず且つ前記支持部材９の前面に装着された前記前飾り体３１と、前記発光体３８を有し且つ前記前飾り体３１，９４の裏側に対応して前記裏構造体１５に装着された本体部４０とを備えたものでもよい。
【００１１】
前記支持部材は遊技盤９であり、前記遊技情報表示手段は前記遊技盤９の前面側に配置された遊技図柄表示手段４２，４３であってもよい。
【００１２】
前記遊技盤９の前面に装着された前記前飾り体３１，９４と、前記遊技盤９の開口３６，８６又は切り欠き部６６に裏側から挿入された前記本体部４０，９６とを備えたものでもよい。
【００１３】
前記前飾り体３１，９４は前面に遊技図柄を発光表示する表示部４１を備え、前記本体部４０，９６は発光基板５８と、該発光基板５８に装着され且つ前記表示部４１に光を照射する発光体３８とを備えたものでもよい。
【００１４】
前記裏構造体１５は前記発光体３８と前記制御基板５８とを接続してユニット化されていてもよい。前記発光体３８からの光を前記表示部４１に導く導光手段６７を備えたものでもよい。
【００１５】
前記前飾り体３１は複数の前記表示部４１を備え、前記本体部４０は前記各表示部４１に対応する複数の前記発光体３８を備え、前記導光手段６７は前記表示部４１及び前記発光部４１に対応する複数の導光孔６８が形成された遮光板５６と、各導光孔６８に挿入された導光部７３とを備えたものでもよい。
【発明の効果】
【００１６】
本発明によれば、遊技部品の電気部品を予め裏構造体に装着して、遊技部品の電気系を裏構造体側で接続する作業形態を採用できる。
【図面の簡単な説明】
【００１７】
【図１】本発明の第１の実施形態を示すパチンコ機の全体斜視図である。
【図２】同パチンコ機の要部の横断面図である。
【図３】同遊技盤の正面図である。
【図４】同遊技情報表示手段の一部破断正面図である。
【図５】同遊技情報表示手段の縦断面図である。
【図６】同遊技情報表示手段の横断面図である。
【図７】同遊技情報表示手段のブロック図である。
【図８】本発明の第２の実施形態を示すパチンコ機の要部の横断面図である。
【図９】本発明の第３の実施形態を示す遊技情報表示手段の横断面図である。
【図１０】同遊技情報表示手段の縦断面図である。
【図１１】同要部の拡大断面図である。
【図１２】同導光体の要部の拡大正面図である。
【図１３】本発明の第４の実施形態を示す遊技盤の正面図である。
【図１４】同遊技情報表示手段の横断面図である。
【図１５】本発明の第５の実施形態を示す遊技情報表示手段の一部破断平面図である。
【図１６】同要部の拡大断面図である。
【図１７】本発明の第６の実施形態を示す遊技盤の横断面図である。
【図１８】本発明の第７の実施形態を示す普通図柄始動手段の正面断面図である。
【図１９】同普通図柄始動手段の横断面図である。
【図２０】同普通図柄始動手段の縦断面図である。
【発明を実施するための形態】
【００１８】
以下、本発明の実施形態を図面に基づいて詳述する。図１〜図７は本発明をパチンコ機に採用した第１の実施形態を例示している。図１において、遊技機本体１は、矩形状の外枠２と、この外枠２の前側に縦軸廻りに開閉自在に枢着された前枠３とを備えている。前枠３の前側には、ガラス扉４と前面板５とが上下に配置され、前枠３に縦軸廻りに開閉自在に枢支されている。
【００１９】
前面板５の前側には、発射手段（図示省略）に供給するための遊技球を貯留する貯留皿６、発射手段を作動させるための発射ハンドル７等が設けられている。前枠３は、図２に示すように、ガラス扉４の裏側に対応して矩形枠状に形成された遊技盤装着部８を備え、この遊技盤装着部８に遊技盤９が前側から着脱自在に装着されている。なお、遊技盤９は裏側から着脱自在に装着してもよい。
【００２０】
遊技盤９はアクリル板等の透明板により構成された透明式であって、図２に示すように、ベニヤ板等を使用した不透明式に比較して板厚が薄くなっており、その裏側外周部に枠状の補強部材１０が積層状に固定されている。遊技盤９と補強部材１０との積層厚さは、ベニヤ板等を使用した不透明式の遊技盤の厚さ、及び前枠３の遊技盤装着部８の装着深さと略一致している。遊技盤９は遊技盤装着部８内でその積層部分に対応して配置されたロック具（図示省略）により着脱自在にロックされている。
【００２１】
補強部材１０は補強リブ等の補強構造部１１を介して遊技盤９の裏面に当接する後壁部１２と、後壁部１２の外周から前側に屈曲して遊技盤９を外周から保護する保護壁部１３とを有し、この補強部材１０を介して遊技盤９の裏側に裏構造体１５が着脱自在に装着されている。
【００２２】
裏構造体１５は各種遊技部品の取り付け用であって、図２に示すように外周側の取り付け部１５ａが補強部材１０の後壁部１２に位置決めしてネジ等により着脱自在に固定されている。なお、裏構造体１５は遊技盤９の裏面に直接取り付けてもよい。
【００２３】
裏構造体１５の裏面には、図２に示すように、遊技盤９側の遊技動作を制御する主制御基板１６、主制御基板１６からのコマンドに基づいて画像表示手段１７の演出画像等を制御する画像制御基板（図示省略）等が着脱自在に装着されている。主制御基板１６は主制御基板ケース１８に、画像制御基板は画像制御基板ケースに夫々収納され、裏構造体１５の裏側に開閉自在に装着された開閉カバー１９により裏側から覆われている。
【００２４】
遊技盤９の前面側には、図３に示すように、ガラス扉４の窓孔２０（図１参照）を経て前側から視認可能な遊技領域２１が設けられると共に、発射手段から発射された遊技球を遊技領域２１へと案内するガイドレール２２が環状に装着されている。また遊技盤９の前面側には、その遊技領域２１内に画像表示手段１７、普通図柄始動手段２３、特別図柄始動手段２４、大入賞手段２５、普通入賞手段２６、遊技情報表示手段２７等が配置されている。ガイドレール２２は内レール２２ａと外レール２２ｂとを有し、その両レール２２ａ，２２ｂ間が発射手段からの遊技球の通路となっている。
【００２５】
画像表示手段１７は演出図柄５２ａ〜５２ｃ等の演出画像を適宜表示するためのものであって、図２、図３に示すように、表示窓２９が形成され且つ遊技盤９の前面に装着された前飾り体３１と、前飾り体３１の表示窓２９に対応して遊技盤９の裏側で裏構造体１５の前面に装着された液晶パネル等の画像表示部３２とを備えている。画像表示部３２は図外のハーネスを介して裏構造体１５の裏側の画像制御基板に接続されている。なお、画像表示部３２は裏構造体１５の裏面に装着してもよい。
【００２６】
前飾り体３１は、図２、図３に示すように、遊技盤９の前面側の前面壁３３と、この前面壁３３の外周側に設けられ且つ遊技盤９の前面に当接する外周壁３４と、前面壁３３の内周側に設けられ且つ画像表示部３２に対応する表示窓２９を形成する内周壁３５とを有し、遊技盤９の開口３６に対応して遊技領域２１の略中央に配置されている。
【００２７】
前飾り体３１の前面壁３３には、画像表示手段１７の側方等の適当箇所に、縦横に整列状に配置された多数の発光部３７を有する遊技情報表示手段２７が配置されている。この遊技情報表示手段２７は、図４〜図６に示すように、前飾り体３１の前面壁３３に設けられた表示領域３９と、この表示領域３９の裏側に対応して裏構造体１５に装着された本体部４０とを備えている。
【００２８】
発光部３７は前面壁３３の表示領域３９に縦横に配置された表示部４１と、この各表示部４１に対応して縦横に配列され且つ各表示部４１に対して後方から光を照射する本体部４０側の発光体３８とにより構成されている。
【００２９】
遊技情報表示手段２７は、図７に示すように、多数の発光部３７を適宜割り当てることにより構成された普通図柄表示手段（遊技図柄表示手段）４２、特別図柄表示手段（遊技図柄表示手段）４３、普通保留個数表示手段４４、特別保留個数表示手段４５、ラウンド数表示手段４６等を備えており、該当箇所の発光部３７を発光又は点滅発光させることによって、普通図柄、特別図柄、普通保留個数、特別保留個数、ラウンド数等を夫々表示するようになっている。なお、普通図柄、特別図柄は遊技図柄の一例である。
【００３０】
この実施形態では、前飾り体３１は画像表示手段１７、遊技情報表示手段２７の両者に兼用されている。そして、この前飾り体３１には画像表示手段１７側の画像表示部３２、遊技情報表示手段２７側の発光体３８等の電気部品は設けられていない。従って、少なくとも画像表示手段１７、遊技情報表示手段２７に関する限り、前飾り体３１には電気部品は装着されていない。
【００３１】
なお、前飾り体３１は画像表示手段１７と遊技情報表示手段２７との夫々に別々に設けてもよい。また前飾り体３１の前面壁３３を発光させる発光演出手段を設ける場合には、前面壁３３の一部に発光演出手段用の発光部を形成しても、発光体等の電気部品は裏構造体１５に装着することが望ましい。しかし、前飾り体３１に他の発光体等の電気部品があってもよい。
【００３２】
前飾り体３１の周壁部には画像表示手段１７の前下側にステージ４７が、前飾り体３１のガイドレール２２に近い側にワープ口５４が夫々設けられている。ステージ４７は複数の落下部４７ａ，４７ｂを有し、前飾り体３１のワープ口５４から入球した遊技球を画像表示手段１７の前下側で左右方向に転動させながら、その何れかの落下部４７ａ，４７ｂから遊技盤９の前側に落下させるようになっている。
【００３３】
普通図柄始動手段２３は遊技球が通過可能なゲート式であって、前飾り体３１の左側で遊技盤９に装着され、この普通図柄始動手段２３が遊技球を検出することを契機に普通図柄表示手段４２の普通図柄（遊技図柄）が所定時間変動するようになっている。
【００３４】
特別図柄始動手段２４は前飾り体３１の下側で遊技盤９の前面に装着されており、遊技球が入賞可能な開放型始動入賞口４８と、前後軸廻りに開閉可能な開閉部材４９を有する開閉型始動入賞口５０とを上下に備え、その何れかの始動入賞口４８，５０に遊技球が入賞することを契機に特別図柄表示手段４３の特別図柄（遊技図柄）が所定時間変動するようになっている。
【００３５】
開閉型始動入賞口５０は普通図柄表示手段４２の変動後の停止図柄が当たり態様となって普通利益状態が発生したときに、開閉部材４９が所定時間開状態に変化して遊技球が入賞可能な状態となる。
【００３６】
大入賞手段２５は特別図柄始動手段２４の下側に配置されており、横軸廻りに開閉する開閉板５１と、この開閉板５１によって遊技球が入賞可能な開状態と入賞不可能な閉状態とに切り換え可能な大入賞口５３とを備えている。大入賞口５３は特別図柄表示手段４３の変動後の停止図柄が大当たり態様となって特別利益状態が発生したときに、開閉板５１が所定の開放パターンに従って前側に開放して、その上に落下した遊技球を内部へと入賞させるようになっている。
【００３７】
開閉板５１による大入賞口５３の開放パターンには、大入賞口５３を０．２秒開放する動作を２ラウンド行う開放パターンＡと、大入賞口５３を開放してから所定時間（例えば２８秒）経過するかそれまでに所定個数（例えば９個）の遊技球が入賞することを条件に閉鎖する動作を１５ラウンド行う開放パターンＢとの２種類設けられている。なお、開放パターンは２種類に限定されるものではなく、１種類でもよいし、３種類以上の多種類でもよい。
【００３８】
普通図柄表示手段４２は遊技情報表示手段２７の複数の発光部３７のうち、例えば「○」「×」の２種類の普通図柄に対応する特定の２個の発光部３７により構成されている。そして、この普通図柄表示手段４２は、普通図柄始動手段２３の遊技球の検出を条件に２つの発光部３７が所定時間交互に点滅して、普通図柄始動手段２３の遊技球の検出時に抽選された遊技態様が特定遊技（当たり遊技）の場合には特定態様（当たり態様）の「○」側の発光部３７が発光した状態で、それ以外の場合には非特定態様（外れ態様）の「×」側の発光部３７が発光した状態で、その点滅を終了するようになっている。
【００３９】
普通保留個数表示手段４４は上限保留個数、例えば４個の発光部３７により構成されており、普通図柄表示手段４２の変動表示中、又は普通利益状態中に普通図柄始動手段２３が遊技球を検出した場合には、その検出時に抽選された抽選値が予め定められた所定数（例えば４個）を限度として主制御基板１６側で記憶されるため、その記憶個数（普通保留個数）分に相当する発光部３７を発光させて、その時点での普通保留個数を遊技者に報知するようになっている。
【００４０】
特別図柄表示手段４３は、遊技情報表示手段２７の複数の発光部３７の内、特定の複数（例えば８個）の発光部３７により構成されており、この複数の発光部３７の発光状態の組み合わせによって複数種類の特別図柄を表示可能である。
【００４１】
この特別図柄表示手段４３は、始動入賞口４８，５０の何れかの遊技球の検出を条件に８つの発光部３７により表示される特別図柄が所定時間変動して、始動入賞口４８，５０の遊技球の検出時に抽選された遊技態様が特別遊技態様（大当たり遊技）の場合には所定の特別態様（大当たり態様）で、それ以外の場合には非特別態様（外れ態様）で夫々停止するようになっている。
【００４２】
なお、特別図柄表示手段４３を構成する複数（例えば８個）の発光部３７によって表示可能な複数種類の特別図柄のうち、１又は複数が大当たり態様、それ以外が外れ態様に設定されている。
【００４３】
特別保留個数表示手段４５は上限保留個数、例えば４個の発光部３７により構成されており、特別図柄の変動表示中、又は特別利益状態中に始動入賞口４８，５０の何れかが遊技球を検出した場合には、その検出時に抽選された抽選値が予め定められた所定数（例えば４個）を限度として主制御基板１６側で記憶されるため、その記憶個数（特別保留個数）分に相当する発光部３７を発光させて、その時点での特別保留個数を遊技者に報知するようになっている。
【００４４】
また特別図柄表示手段４３による特別図柄の変動表示中は、図３に示すように画像表示手段１７で演出図柄５２ａ〜５２ｃによる図柄変動演出が行われる。画像表示手段１７は１個又は複数個、例えば左右方向に３個の演出図柄５２ａ〜５２ｃを各種の演出画像と共に変動表示可能であり、特別図柄表示手段４３での特別図柄の変動開始と同時に所定の変動パターンに従って演出図柄５２ａ〜５２ｃが所定時間変動し、特別図柄の変動停止と同時に最終停止するように左、右、中等の所定の順序で停止するようになっている。なお、画像表示手段１７は、特別図柄の変動内容とは直接関係のない演出を行う場合があってもよい。
【００４５】
ラウンド数表示手段４６は特別利益状態で大入賞口５３が開放動作を繰り返すときのラウンド数を表示するもので、遊技情報表示手段２７の複数の発光部３７の内、例えば２ラウンド，１５ラウンドの２種類のラウンド数に対応する特定の２個の発光部３７により構成されており、特別図柄表示手段４３の変動後の停止図柄が大当たり態様となったときに、その後に発生する特別遊技における繰り返しラウンド数に応じた表示態様で所定期間（例えば極短時間）だけ作動するようになっている。
【００４６】
普通入賞手段２６は、例えば大入賞手段２５の左側で内レール２２ａの内側に沿って３個、右側に１個配置されている。
【００４７】
遊技情報表示手段２７は、図４〜図６に示すように構成されている。即ち、前飾り体３１は透光性を有する無色透明又は有色透明の合成樹脂製であり、その前面壁３３の内、少なくとも遊技情報表示手段２７の表示領域３９に対応する前面に、遮光性を有する装飾シート５５が貼着されている。装飾シート５５には各発光部３７に対応する開口状の表示部４１が縦横に形成されている。
【００４８】
なお、装飾シート５５は遮光層の一例であり、遊技情報表示手段２７の表示領域３９に対応する部分に金属膜、装飾シール等の遮光層を設けて、発光部３７以外の部分を遮光してもよい。また装飾シート５５は透明シートと、表示部４１に対応する孔を有する遮光シートとを重ね合わせたものでもよい。前面壁３３の装飾シート５５以外の部分には、必要に応じて金属膜、装飾シール等の遮光性を有する装飾層が設けられている。
【００４９】
本体部４０は、図４〜図６に示すように、前後に開閉自在に結合された前ケース体５６と後ケース体５７とを備え、その両ケース体５６，５７間に発光基板５８が収容されている。発光基板５８は表示領域３９に対応して横長略矩形状に形成され、その前面に多数（ここでは３２個）のＬＥＤ等の発光体３８が縦横に装着されている。
【００５０】
発光基板５８の裏面にはコネクタ５９が設けられ、そのコネクタ５９にハーネス６０のコネクタ６０ａが着脱自在に接続されている。ハーネス６０の他端は裏構造体１５の挿通口６１を経て外側に引き出され、裏構造体１５の裏側に配置された主制御基板１６のコネクタ６２にコネクタ６０ｂを介して接続されている。
【００５１】
本体部４０は後ケース体５７の取り付け部６３が裏構造体１５から遊技盤９側に突出する取り付けボス６４に前側から着脱自在に装着されている。なお、取り付け部６３は前ケース体５６に設けてもよい。本体部４０は遊技盤９の開口３６の外周に形成された切り欠き部６６内に配置され、前面壁３３の裏面に近接して配置されている。
【００５２】
前ケース体５６の発光基板５８と対向する前面側には、発光体３８からの光を表示部４１へと導光する導光手段６７が一体又は別体に設けられている。前ケース体５６は遮光性を有する合成樹脂製であって、発光基板５８と対向する前側部分が遮光体を構成する。導光手段６７は発光基板５８側の各発光体３８に対応して前ケース体５６に前後方向に形成された導光孔６８を有する。なお、前ケース体５６とは別に遮光体を設けてもよい。
【００５３】
導光手段６７の発光基板５８側の後端部は発光基板５８の前面に当接又は近接しており、その導光孔６８の後端部に発光体３８が入っている。導光孔６８は前側が徐々に狭くなるテーパー状であり、その前端は装飾シート５５の表示部４１の開口よりも若干小径になっている。各表示部４１間の間隔は、導光孔６８の前端側で外側に拡散した光が前面壁３３を経て隣接する表示部４１に外乱として入らない程度となっている。後ケース体５７には、発光基板５８の裏側にコネクタ５９用のコネクタ孔６９が形成されている。
【００５４】
この遊技情報表示手段２７においては、何れかの発光体３８が発光すると、その発光体３８から発せられた光は、前ケース体５６に形成されたテーパー状の導光孔６８の内面で反射するか、又は反射することなく略真っ直ぐに進んで前飾り体３１の前面壁３３に入射する。そして、前面壁３３に入射した光は装飾シート５５の表示部４１でのみ前側に抜けるので、遊技者は発光部３７の発光として認識できる。
【００５５】
この実施形態では、遊技盤９に画像表示手段１７、遊技情報表示手段２７等を装着して組み立てる場合には、先ず裏構造体１５に画像表示手段１７の画像表示部３２と遊技情報表示手段２７の本体部４０とを装着し、遊技盤９の前面に前飾り体３１を装着する。
【００５６】
そして、裏構造体１５に電気部品である画像表示部３２と発光体３８を含む本体部４０とを装着し、遊技盤９の前面に電気部品を含まない前飾り体３１を装着して、裏構造体１５側と遊技盤９側とを別々に組み立てた後、画像表示部３２が前飾り体３１の表示窓２９に対応し、発光体３８を含む本体部４０が前飾り体３１の表示領域３９に対応するように、夫々の位置を相互に合わせながら裏構造体１５を遊技盤９の裏面に位置決めして装着する。
【００５７】
これによって画像表示手段１７側の前飾り体３１の表示窓２９と画像表示部３２とを前後に相対応して配置できると共に、遊技情報表示手段２７側の前飾り体３１の表示領域３９と発光体３８を含む本体部４０とを前後に相対応して配置できる。例えば遊技情報表示手段２７側を見た場合には、裏構造体１５を遊技盤９に装着することによって、前飾り体３１側の表示領域３９と本体部４０とを前後方向に相対応させることができる。
【００５８】
そのため遊技情報表示手段２７のように裏構造体１５を遊技盤９に装着したときに、その前飾り体３１側の表示領域３９と本体部４０とが前後に相対応する構造の遊技部品の場合には、遊技盤９に対する組み立てを容易に行うことができる。
【００５９】
また遊技情報表示手段２７の発光体３８を裏構造体１５の裏側の主制御基板１６に接続するに当たっても、その発光体３８と主制御基板１６とが共に裏構造体１５側にあるため、裏構造体１５側でその発光体３８と主制御基板１６とを予めハーネス６０を介して接続する作業形態を容易に採用することができる。
【００６０】
従って、従来のように遊技盤９の前側に遊技部品を装着した後、そのハーネス６０を遊技盤９の裏側に引き出して裏構造体１５の裏側で主制御基板１６に接続する煩わしさを解消でき、遊技盤９の組み立て作業の作業性が向上する利点がある。
【００６１】
図８は本発明の第２の実施形態を例示する。この実施形態では、裏構造体１５の前面に取り付け台７０が設けられ、その取り付け台７０の前面に遊技情報表示手段２７の本体部４０が着脱自在に装着されている。取り付け台７０は本体部４０を受ける受け部７１と、この受け部７１から前側に突出する一対の係合爪７２を有し、その係合爪７２により本体部４０が着脱自在に係止されている。他の構成は第１の実施形態と同様である。
【００６２】
このように遊技情報表示手段２７の本体部４０を裏構造体１５に装着するに当たっては、裏構造体１５に取り付け台７０を設けて、その取り付け台７０に係合爪７２で本体部４０を着脱自在に係止する等、適宜の装着形態を取ることができる。従って、本体部４０の裏構造体１５に対する装着形態の如何に拘わらず、第１の実施形態と同様な組み立て形態を採用することが可能である。
【００６３】
図９〜図１２は本発明の第３の実施形態を例示する。この実施形態の導光手段６７は、図９、図１０に示すように、前ケース体５６に形成された導光孔６８と、導光孔６８に挿入された導光部７３とを備えている。各導光部７３はアクリル、ポリカーボネート等の導光性に優れた合成樹脂製の導光体７４に設けられている。導光体７４は導光孔６８に嵌合する多数のテーパー状の導光部７３と、この各導光部７３の後端側に薄板状又は縦横のリブ状に形成され且つ各導光部７３を相互に連結する連結部７５とを備え、全体として一体に構成されている。
【００６４】
連結部７５は前面板５と発光基板５８との間で挟まれると共に、発光基板５８により前ケース体５６の前面側に押圧されており、各導光部７３の外周面が導光孔６８の内周面に圧接している。なお、導光部７３はその外周面が導光孔６８の内周面に接する程度でもよいし、両者間に若干の隙間があってもよい。
【００６５】
各導光部７３の後端には、図１１、図１２に示すように、発光体３８が収まる凹部７６が設けられ、この凹部７６内に発光体３８が配置されている。導光部７３の凹部７６の発光体３８との対向面７７は、発光体３８の光軸に対して略直角状に形成されている。なお、対向面７７は凸面状又は凹面状に形成してもよい。
【００６６】
発光体３８は前端面が発光する前面発光式であり、発光体３８の前端面は前ケース体５６の発光基板５８に対向する後端面と略同一か、又はその後端面よりも前側に位置している。連結部７５が板状の場合には、図１１、図１２に示すように、その前面に光の拡散を防止する拡散防止溝７８が導光部７３を中心として略同心状に形成されている。
【００６７】
導光部７３の前端面は前ケース体５６の導光孔６８の前端と略同じか、導光孔６８の前端の前又は後近傍に位置しており、前面壁３３の前面の表示部４１に対応している。他の構成は第１又は第２の実施形態と略同じである。
【００６８】
このように本体部４０に導光孔６８と導光部７３とを有する導光手段６７を設けることにより、発光体３８からの光を更に確実に表示部４１側へと導光でき、発光体３８の発光により前飾り体３１の表示部４１を鮮明に発光させることができる。
【００６９】
また多数の各導光孔６８に各導光部７３を配置しているが、各導光部７３は連結部７５を介して１個の導光体７４に一体に設けているので、導光部７３がテーパー状であることと相俟って、前ケース体５６の各導光孔６８に導光部７３を容易に挿入でき、組み立て、その他の取り扱いが容易になる利点がある。
【００７０】
更に各導光部７３を連結部７５で連結しているが、各導光部７３の後端の凹部７６内に発光体３８があり、その発光体３８の前端面が前ケース体５６の発光基板５８と対応する部分の後端面と略同じか又はその前後近傍にあるため、発光体３８の光が連結部７５を介して隣接する導光部７３へと拡散するような問題もない。
【００７１】
なお、導光孔６８の内周面、導光部７３の外周面は直円筒状に形成して、導光部７３を導光孔６８に挿入する際に、両者を相対的に案内するためのテーパー状、その他の形状の導光孔６８の発光基板５８側の端部内周及び／又は導光部７３の先端部外周に設けてもよい。
【００７２】
図１３及び図１４は本発明の第４の実施形態を例示する。この実施形態の遊技盤９は、ベニヤ板等の不透明板により構成されており、この遊技盤９は透明の場合に比較して板厚が大であり、その裏側には透明な遊技盤９の補強部材１０に相当するものはない。遊技盤９の前面外周には、図１３に示すように、遊技領域２１の外周を区画する左右一対の区画部材７９，８０が着脱自在に装着されている。なお、区画部材７９，８０は遊技領域２１が略円形状であるため、上下両側に左右幅の広い広幅部７９ａ，８０ａとなっている。遊技盤９は透明式でもよい。
【００７３】
右側の区画部材８０の広幅部８０ａは、図１４に示すように、広幅状の前面壁８１と、前面壁８１の内周側から裏側に屈曲して遊技領域２１の外周を区画する区画壁８２と、前面壁８１の外周側から裏側に屈曲して遊技盤９の側縁及び下縁に対応する外周壁８３とを有し、その前面壁８１には証紙を貼付する証紙貼付部８４と、遊技情報を表示する遊技情報表示手段２７とが設けられている。なお、証紙貼付部８４、遊技情報表示手段２７はガラス扉４の窓孔２０内に対応している。
【００７４】
遊技情報表示手段２７は、各実施形態と同様に前飾り体３１と本体部４０とを備えている。前飾り体３１は広幅部８０ａの前面壁８１に形成された開口８５に裏側から嵌め込まれ、外周側のネジ８５ａ等により前面壁８１に着脱自在に固定されている。従って、前飾り体３１は区画部材８０を介して遊技盤９の前面に装着されている。
【００７５】
本体部４０は遊技盤９に形成された開口８６内に配置され、後ケース体５７から後方に突出する取り付け部８７が、遊技盤９の裏側の裏構造体１５にネジ８７ａ等により着脱自在に固定されている。裏構造体１５は区画部材８０に対応する外周部分では遊技盤９の裏面に当接して、図外のネジ等により遊技盤９に着脱自在に固定されている。その他の構成は各実施形態と同様である。
【００７６】
この実施形態に例示するように遊技情報表示手段２７を遊技盤９の遊技領域２１の外側近傍に配置する場合にも、前飾り体３１を遊技盤９の前面の区画部材８０に、本体部４０を遊技盤９の裏側に配置された裏構造体１５に夫々設けることにより、各実施形態と同様の組み立てが可能である。
【００７７】
図１５、図１６は本発明の第５の実施形態を例示する。この実施形態の遊技盤９は透明板により構成され、その裏側に補強部材１０及び裏構造体１５が装着されている。遊技盤９の前面には遊技情報表示手段２７の前飾り体３１が、裏構造体１５には遊技情報表示手段２７の本体部４０が夫々装着されている。
【００７８】
前飾り体３１は前面壁８８と周壁８９とを有し、遊技盤９の前面に当接して着脱自在に装着されている。前飾り体３１の前面壁８８には、各実施形態と同様に表示部４１を有する装飾シート５５が貼着されている。
【００７９】
本体部４０は前ケース体５６と後ケース体５７とを備え、その両ケース体５６，５７間に、発光体３８が装着された発光基板５８が介在されている。本体部４０は後ケース体５７の側面に取り付け部６３を有し、その取り付け部６３がネジ６３ａ等により裏構造体１５の周壁部１５ｂに内側から着脱自在に装着されている。なお、取り付け部６３は前ケース体５６に設けてもよい。
【００８０】
前ケース体５６は前後方向に長くなっており、遊技盤９の開口８６を貫通して前飾り体３１の前面壁８８の裏側近傍へと突出している。そして、前ケース体５６には前後方向に貫通する導光孔６８が各発光体３８に対応して形成され、その導光孔６８に導光部７３が挿入されている。導光孔６８は発光基板５８側の端部にテーパー状の案内部６８ａが形成され、また導光部７３の発光基板５８側の端部には発光体３８に対応する凹部７６と、案内部６８ａに対応するテーパー部７３ａとが設けられている。
【００８１】
なお、導光孔６８、導光部７３により導光手段６７が構成されている。導光部７３は発光基板５８により前側に押圧されている。各導光部７３は独立しているが、第３の実施形態のように連結部７５を介して一体に設けてもよい。また他の構成は各実施形態と同様である。
【００８２】
この実施形態に例示するように遊技情報表示手段２７の本体部４０が前後方向に長くなる場合にも、その本体部４０の導光孔６８内に導光部７３を設けることにより、発光体３８の光を確実に表示部４１へと導光することができる。このため表示部４１の発光輝度の低下を抑制でき、高輝度で遊技情報を発光表示することが可能である。
【００８３】
図１７は本発明の第６の実施形態を例示する。この実施形態の遊技盤９は透明板により構成され、その裏側に補強部材１０及び裏構造体１５が装着されている。画像表示手段１７は第１の実施形態と同様に、遊技盤９の前面に装着された前飾り体３１と、裏構造体１５に装着された画像表示部３２とを備えている。
【００８４】
遊技情報表示手段２７は表示領域３９を有し且つ前飾り体３１の開口８５内に配置された表示板９０と、この表示板９０の裏側に装着された導光手段６７と、多数の発光体３８を有し且つ裏構造体１５の前面に表示板９０及び導光手段６７に対応して装着された発光基板５８とを備えている。
【００８５】
表示板９０は遮光性を有する合成樹脂製であって、前面の表示領域３９側に各発光体３８に対応する透過孔９１が形成されると共に、その透過孔９１を塞ぐように透光性を有する無色透明又は有色透明の発光シート９２が装着されている。
【００８６】
なお、透過孔９１と発光シート９２とによって表示部３７が形成されている。発光シート９２は透光性があれば十分である。表示板９０は前飾り体３１の前面壁３３に形成された開口８５に裏側から嵌め込まれている。
【００８７】
表示板９０は裏側に凹部９０ａを有し、この凹部９０ａに導光手段６７を構成する導光体７４が嵌め込まれている。導光体７４は発光基板５８の発光体３８と表示板９０の透過孔９１とに対応する導光孔６８が形成され、発光基板５８の発光体３８からの光を導光孔６８を経て透過孔９１に導光するようになっている。
【００８８】
導光体７４は光の拡散を防止するために遮光性を有し、その後端は発光基板５８に近接又は当接して設けられている。導光体７４にはその各導光孔６８内に透光性に優れた棒状の導光部７３を設けてもよい。導光孔６８はテーパー状であるが、直円筒状のものでもよい。
【００８９】
発光基板５８は裏構造体１５から前側に突出する取り付けボス６４にネジ６４ａ等で着脱自在に装着されている。この発光基板５８は遊技盤９の画像表示手段１７用の開口３６とは別に設けられた開口８６に対応して配置されている。なお、前飾り体３１が透光性を有する場合には、適宜箇所に遮光層を形成する等により装飾が施されていることは云うまでもない。発光基板５８により本体部４０が構成されている。他の構成は各実施形態と同様である。
【００９０】
この実施形態に例示するように遊技情報表示手段２７を設けるに当たっては、画像表示手段１７側と兼用の前飾り体３１に、表示領域３９を有する表示板９０を装着してもよい。また導光手段６７は発光基板５８側から分離して前飾り体３１側、例えば表示板９０の裏面に設けることも可能である。この場合にも、導光手段６７を構成する導光体７４自体は電気部品を備えていないので、別段問題はない。
【００９１】
図１８〜図２０は本発明の第７の実施形態を例示する。この実施形態の普通図柄始動手段２３は、遊技盤９の開口１０１に対応して前面に装着された前飾り体９４と、裏構造体１５に装着された検出スイッチ９５を有し且つ前飾り体９４に対応して遊技盤９の開口１０１に裏側から挿入された本体部９６とを備え、その検出スイッチ９５がハーネス９７を介して主制御基板１６に接続されている。遊技盤９は透明、不透明の何れでもよい。
【００９２】
前飾り体９４は遊技盤９の前面に当接する取り付け板９８と、この取り付け板９８の前側に一体に形成され且つ遊技球が上下に通過可能な支持枠９９とを有し、取り付け板９８がネジ９８ａ等により遊技盤９の前面に固定されている。
【００９３】
取り付け板９８には支持枠９９の裏側に対応して検出スイッチ９５用の挿通孔９８ｂが形成され、また支持枠９９の内周側には検出スイッチ９５の前部外周を保持する保持溝９９ａが設けられている。
【００９４】
裏構造体１５には検出スイッチ９５の後部側を保持する筒状の保持部１００が一体に形成され、この保持部１００に裏側から検出スイッチ９５が挿入されている。保持部１００は前端に検出スイッチ９５の段部９５ａに係合する係合部１００ａが、後部側に検出スイッチ９５に係脱自在に係合する係合爪１００ｂが夫々設けられ、この係合部１００ａと係合爪１００ｂとにより、保持部１００に裏側から挿入された検出スイッチ９５を固定状に保持するようになっている。
【００９５】
検出スイッチ９５は上下方向に薄い偏平状であって、後部側が裏構造体１５の保持部１００により保持され、前部側が取り付け板９８の挿通孔９８ｂから支持枠９９の保持溝９９ａに挿入されている。この検出スイッチ９５の前部には、支持枠９９に対応して遊技球が上下に通過可能な丸孔状の通過孔９５ｃが形成されている。裏構造体１５は遊技盤９の裏面に直接又は間接的に着脱自在に固定されている。
【００９６】
なお、検出スイッチ９５の前端部及び／又は挿通孔９８ｂの後縁側には、傾斜状の案内部が形成され、この案内部を介して前飾り体３１に挿入される検出スイッチ９５を案内するようになっている。
【００９７】
このような構成の普通図柄始動手段２３の場合にも、遊技盤９の前面に前飾り体９４があり、裏構造体１５側に検出スイッチ９５があるため、裏構造体１５側において検出スイッチ９５と主制御基板１６とをハーネス６０を介して予め接続しておき、その後に裏構造体１５を遊技盤９の裏面に装着することにより、普通図柄始動手段２３を含む遊技盤９の組み立てを行うことができる。
【００９８】
以上、本発明の各実施形態について詳述したが、本発明はこれらの実施形態に限定されるものではなく、本発明の趣旨を逸脱しない範囲で種々の変更が可能である。例えば、遊技情報表示手段２７には、普通図柄表示手段４２、特別図柄表示手段４３、普通保留個数表示手段４４、特別保留個数表示手段４５、ラウンド数表示手段４６の複数種類の表示手段を備えたものを例示している。
【００９９】
しかし、遊技情報表示手段２７は、その普通図柄表示手段４２、特別図柄表示手段４３、普通保留個数表示手段４４、特別保留個数表示手段４５、ラウンド数表示手段４６の一つ又は複数（一部）を備えたものであってもよい。
【０１００】
また電気部品を含む遊技部品として、画像表示部３２を含む画像表示手段１７、発光体３８を含む遊技情報表示手段２７、検出スイッチ９５を含む普通図柄始動手段２３を例示しているが、これら以外の遊技部品においても同様に実施可能である。
【０１０１】
例えば、画像表示部３２を含む画像表示手段１７、発光体３８を含む遊技情報表示手段２７、検出スイッチ９５を含む普通図柄始動手段２３の場合には、前飾り体３１を遊技盤９の前面に装着し、画像表示部３２、発光体３８、検出スイッチ９５等を含む本体部４０，９６を遊技盤９の裏側に配置される裏構造体１５に装着することになるが、ガラス扉４の前面側に配置された演出表示手段等の場合には、扉枠の前面に前飾り体３１を設け、遊技盤９又は前枠３の一部に発光体３８を含む本体部４０を設けて、ガラス扉４を閉じたときに前飾り体３１と発光体３８とが前後方向に相対応するようにしてもよい。この場合には、扉枠が支持部材となり、遊技盤９又は前枠３が裏構造体１５となる。
【０１０２】
各実施形態の遊技情報表示手段２７では、本体部４０は前ケース体５６と後ケース体５７とを備え、その両ケース体５６，５７間に、発光体３８を有する発光基板５８を介在しているが、複数の導光孔６８を有する遮光板の裏面に、発光体３８がその導光孔６８に対応するように発光基板５８を装着してもよい。
【０１０３】
遊技情報表示手段２７は各発光体３８が独立して発光するドット式のものを例示しているが、７セグメント式の発光形式を採用したものでもよい。またパチンコ機、アレンジボール機等の弾球遊技機の他、スロットマシン、その他の各種の遊技機においても同様に実施可能でる。
【符号の説明】
【０１０４】
１  遊技機本体
２  外枠
３  前枠
４  ガラス扉
８  遊技盤装着部
９  遊技盤
１５  裏構造体
１６  主制御基板
１７  画像表示手段（遊技部品）
２１  遊技領域
２３  普通図柄始動手段
２４  特別図柄始動手段
２５  大入賞手段
２７  遊技情報表示手段（遊技部品）
３１  前飾り体
３２  画像表示部（電気部品）
３７  発光部
３８  発光体（電気部品）
３９  表示領域
４０  本体部
４１  表示部
４２  普通図柄表示手段（遊技図柄表示手段）
４３  特別図柄表示手段（遊技図柄表示手段）
４７  ステージ
５６  前ケース体
５７  後ケース体
５８  発光基板
６０  ハーネス
６７  導光手段
６８  導光孔
７３  導光部
７９，８０  区画部材
９０  表示板
９４  前飾り体
９５  検出スイッチ（電気部品）
９６  本体部
【図１】
2014176554.tif 000003
【図２】
2014176554.tif 000004
【図３】
2014176554.tif 000005
【図４】
2014176554.tif 000006
【図５】
2014176554.tif 000007
【図６】
2014176554.tif 000008
【図７】
2014176554.tif 000009
【図８】
2014176554.tif 000010
【図９】
2014176554.tif 000011
【図１０】
2014176554.tif 000012
【図１１】
2014176554.tif 000013
【図１２】
2014176554.tif 000014
【図１３】
2014176554.tif 000015
【図１４】
2014176554.tif 000016
【図１５】
2014176554.tif 000017
【図１６】
2014176554.tif 000018
【図１７】
2014176554.tif 000019
【図１８】
2014176554.tif 000020
【図１９】
2014176554.tif 000021
【図２０】
2014176554.tif 000022